【手続補正書】
【提出日】平成23年6月9日(2011.6.9)
【手続補正１】
【補正対象書類名】特許請求の範囲
【補正対象項目名】全文
【補正方法】変更
【補正の内容】
【特許請求の範囲】
【請求項１】
管腔閉塞機器であって、
近位端および遠位端を有する引張部材と、
該引張部材を収容するための少なくとも自身の遠位部分に沿うガイド構造を有する細長いシャフトであって、該シャフトに対して遠位に延出した位置と近位に後退した位置との間を該引張部材が移行することを可能にする、細長いシャフトと、
該引張部材の遠位部分を収容するための軸方向収容部を有する平坦フィルムであって、該フィルムの遠位端は、該引張部材上の遠位位置に取り付けられ、該フィルムの近位端は、該細長いシャフトの遠位端に取り付けられる、平坦フィルムと
を備え、
該引張部材を該シャフトに対して近位に平行移動させることは、該平坦フィルムを圧縮させ、該引張部材を該シャフトに対して遠位に平行移動させることは、該フィルムを伸張させる、機器。
【請求項２】
前記平坦フィルムは、２ｍｍから１５ｍｍまでの範囲の距離だけ離間した平行な軸方向縁を有し、１０ｍｍから１００ｍｍまでの範囲の軸方向長さを有する、請求項１に記載の機器。
【請求項３】
圧縮する前に、前記平坦フィルムは、全厚さが０．１ｍｍから０．５ｍｍまでの範囲のポリマーシート構造を備える、請求項１または２に記載の機器。
【請求項４】
前記平坦フィルムは、自身の表面上に形成される少なくとも１つのＸ線不透過性マーカを備え、通常は少なくとも２つのＸ線不透過性マーカを備え、該Ｘ線不透過性マーカは、前記軸方向収容部の各側面に１つずつ配置される、請求項１〜３のいずれかに記載の機器。
【請求項５】
前記平坦フィルムは、前記軸方向収容部の各側面に配置される複数の別個のマーカを備える、請求項４に記載の機器。
【請求項６】
前記平坦フィルムは、前記軸方向収容部の一方の側面における第１の翼部分と、該軸方向収容部の他方の側面における第２の翼部分とを含み、第１のＸ線不透過性の細長い要素が、該第１の翼部の外縁に沿って配置され、第２のＸ線不透過性の細長い要素が、該第２の翼部の外縁に沿って配置される、請求項１〜５のいずれかに記載の機器。
【請求項７】
前記第１および第２の細長い要素は、前記軸方向収容部から半径方向外側に前記平坦フィルムを偏向させる、請求項６に記載の機器。
【請求項８】
前記第１および第２の細長い要素は、前記引張部材が近位に平行移動させられるにつれて、螺旋状構成を帯びる、請求項７に記載の機器。
【請求項９】
前記平坦フィルムは、前記第１の翼部分と整列しているが、それから近位に離間している第３の翼部分と、前記第２の翼部分に整列しているが、それから近位に離間している第４の翼部分とを含み、該第１の細長い要素は、該第１および第３の翼部分の前記外縁に沿って連続的に配置され、該第２の細長い要素は、該第２および第４の翼部分の前記外縁に沿って連続的に配置され、該第１および第２の細長い部材は、前記引張部材が近位に平行移動させられるにつれて、２つの軸方向に離間した螺旋状構成を帯びる、請求項６〜８のいずれかに記載の機器。
【請求項１０】
前記引張部材の前記遠位端から遠位に延出する遠位先端部をさらに備え、該遠位先端部は、前記遠位方向にテーパ状に小さくなるポリマー管を備える、請求項１〜９のいずれかに記載の機器。
【請求項１１】
前記ポリマー管は、デュロメータが２５Ｄから５５Ｄまでの範囲のポリウレタンを備える、請求項１〜１０のいずれかに記載の機器。
【請求項１２】
前記引張部材は、中実コアワイヤを備え、該ワイヤは、幅が０．２ｍｍから０．６ｍｍまでの範囲のステンレス鋼を備える、請求項１〜１１のいずれかに記載の機器。
【請求項１３】
前記細長いシャフトは、外側幅が０．５ｍｍから１．５ｍｍまでの範囲であり、かつ長さが５０ｃｍから２５０ｃｍまでの範囲であるポリマー管を備え、該ポリマー管は、デュロメータが５０Ｄから８０Ｄまでの範囲であるポリエーテルブロックアミドを備える、請求項１〜１２のいずれかに記載の機器。
【請求項１４】
前記細長いシャフトの前記近位端のハンドルアセンブリと、前記引張部材の前記近位端の把持部とをさらに備え、前記ハンドルは、該シャフトの該近位端に取り外し可能に取り付けられ、該把持部は、該シャフトに対して十分に近位に配置される際に、該ハンドルによって被覆可能である、請求項１〜１３のいずれかに記載の機器。
【請求項１５】
前記引張部材の前記近位端付近に移動止めをさらに備え、該移動止めは、前記フィルムの配置のために該引張部材を近位に収縮させる際に拡張し、該拡張した移動止めは、配置後に、該引張部材の故意でない遠位移動を阻止し、該移動止めは、該引張部材における１つ以上の湾曲部を備える、請求項１〜１４のいずれかに記載の機器。
【手続補正２】
【補正対象書類名】明細書
【補正対象項目名】００２１
【補正方法】変更
【補正の内容】
【００２１】
特定の実施形態では、平坦フィルムは、第１の翼型領域および第２の翼型領域を備え、翼型領域は、狭窄領域またはくびれ領域によって軸方向に分離される。ニチノールまたは他の高度に弾性を有するワイヤが、翼型領域とその間の狭窄領域またはくびれ領域との半径方向に外側の縁に埋め込まれる。弾性ワイヤは、平坦フィルムがその伸長位置にある場合に、平坦または外側に配置される構成に翼型領域を維持する。尿管、他の身体管腔、または送達シースもしくはカニューレを通る導入時に、翼型領域が、それを担持する細長いシャフトに対して容易に折り畳まることを理解されたい。尿道または他の身体管腔内の標的位置に配置されると、平坦フィルムは、軸方向に折り畳まれ、その結果、翼型領域は、２つの軸方向に離間した構造に圧縮され、一般的には、弾性ワイヤによって、２つの別々の螺旋状翼が形成される。しかしながら、平坦フィルムのくびれ部分は、一般的には、補強されるか、または軸方向の折り畳みを防止し、２つの圧縮領域の間に空間が存在するようにする。このような軸方向に離間した圧縮構造は、「二重の」一掃を提供し、この場合、先の圧縮構造を通り抜けたいかなる結石の破片も後の構造によって捕捉可能である。
例えば、本発明は以下の項目を提供する。
（項目１）
管腔閉塞機器であって、
近位端および遠位端を有する引張部材と、
該引張部材を収容するための少なくとも自身の遠位部分に沿うガイド構造を有する細長いシャフトであって、該シャフトに対して遠位に延出した位置と近位に後退した位置との間を該引張部材が移行することを可能にする、細長いシャフトと、
該引張部材の遠位部分を収容するための軸方向収容部を有する平坦フィルムであって、該フィルムの遠位端は、該引張部材上の遠位位置に取り付けられ、該フィルムの近位端は、該細長いシャフトの遠位端に取り付けられる、平坦フィルムと
を備え、
該引張部材を該シャフトに対して近位に平行移動させることは、該平坦フィルムを圧縮させ、該引張部材を該シャフトに対して遠位に平行移動させることは、該フィルムを伸張させる、機器。
（項目２）
上記平坦フィルムは、２ｍｍから１５ｍｍまでの範囲の距離だけ離間した平行な軸方向縁を有する、項目１に記載の機器。
（項目３）
上記平坦フィルムは、１０ｍｍから１００ｍｍまでの範囲の軸方向長さを有する、項目２に記載の機器。
（項目４）
圧縮する前に、上記平坦フィルムは、全厚さが０．１ｍｍから０．５ｍｍまでの範囲のポリマーシート構造を備える、項目３に記載の機器。
（項目５）
上記平坦フィルムは、自身の表面上に形成される少なくとも１つのＸ線不透過性マーカを備える、項目１に記載の機器。
（項目６）
上記平坦フィルムは、少なくとも２つのＸ線不透過性マーカを備え、上記軸方向収容部の各側面に１つずつ配置される、項目５に記載の機器。
（項目７）
上記平坦フィルムは、上記軸方向収容部の各側面に配置される複数の別個のマーカを備える、項目５に記載の機器。
（項目８）
上記Ｘ線不透過性マーカは、金箔帯を備える、項目７に記載の機器。
（項目９）
上記平坦フィルムは、上記軸方向収容部の一方の側面における第１の翼部分と、該軸方向収容部の他方の側面における第２の翼部分とを含み、第１の細長い要素が、該第１の翼部の外縁に沿って配置され、第２の細長い要素が、該第２の翼部の外縁に沿って配置される、項目６に記載の機器。
（項目１０）
上記第１および第２の細長い要素は、Ｘ線不透過性である、項目６に記載の機器。
（項目１１）
上記第１および第２の細長い要素は、上記軸方向収容部から半径方向外側に上記平坦フィルムを偏向させる、項目６に記載の機器。
（項目１２）
上記第１および第２の細長い要素は、上記引張部材が近位に平行移動させられるにつれて、螺旋状構成を帯びる、項目１１に記載の機器。
（項目１３）
上記平坦フィルムは、上記第１の翼部分と整列しているが、それから近位に離間している第３の翼部分と、上記第２の翼部分に整列しているが、それから近位に離間している第４の翼部分とを含む、項目９に記載の機器。
（項目１４）
上記第１の細長い要素は、上記第１および第３の翼部分の上記外縁に沿って連続的に配置され、上記第２の細長い要素は、上記第２および第４の翼部分の上記外縁に沿って連続的に配置される、項目１３に記載の機器。
（項目１５）
上記第１および第２の細長い部材は、上記引張部材が近位に平行移動させられるにつれて、２つの軸方向に離間した螺旋状構成を帯びる、項目１４に記載の機器。
（項目１６）
上記引張部材の上記遠位端から遠位に延出する遠位先端部をさらに備える、項目１に記載の機器。
（項目１７）
上記遠位先端部は、上記遠位方向にテーパ状に小さくなるポリマー管を備える、項目１６に記載の機器。
（項目１８）
上記ポリマー管は、デュロメータが２５Ｄから５５Ｄまでの範囲のポリウレタンを備える、項目１７に記載の機器。
（項目１９）
上記引張部材は、中実コアワイヤを備える、項目１に記載の機器。
（項目２０）
上記ワイヤは、幅が０．２ｍｍから０．６ｍｍまでの範囲のステンレス鋼を備える、項目１９に記載の機器。
（項目２１）
上記細長いシャフトは、外側幅が０．５ｍｍから１．５ｍｍまでの範囲であり、かつ長さが５０ｃｍから２５０ｃｍまでの範囲であるポリマー管を備える、項目１に記載の機器。
（項目２２）
上記ポリマー管は、デュロメータが５０Ｄから８０Ｄまでの範囲であるポリエーテルブロックアミドを備える、項目２１に記載の機器。
（項目２３）
上記ポリマー管の少なくとも一部分は、補強される、項目２２に記載の機器。
（項目２４）
ポリマー管の全体長さが鋼製組紐で補強される、項目２３に記載の機器。
（項目２５）
上記細長いシャフトの上記近位端に、ハンドルアセンブリをさらに備える、項目１に記載の機器。
（項目２６）
上記引張部材の上記近位端に、把持部をさらに備える、項目２５に記載の機器。
（項目２７）
上記ハンドルは、上記シャフトの上記近位端に着脱自在に取り付けられ、上記把持部は、該シャフトに対して十分に近位に配置される際に、該ハンドルによって被覆可能である、項目２６に記載の機器。
（項目２８）
上記引張部材の上記近位端付近に移動止めをさらに備え、該移動止めは、上記フィルムの配置のために該引張部材を近位に収縮させる際に拡張し、該拡張した移動止めは、配置後に、該引張部材の故意でない遠位移動を阻止する、項目１に記載の機器。
（項目２９）
上記移動止めは、上記引張部材における１つ以上の湾曲部を備える、項目２８に記載の機器。
（項目３０）
上記平坦フィルム上に少なくとも１つの補強要素をさらに備え、該補強要素は、該フィルムが圧縮させられるにつれて、該フィルムを高体積構成で崩壊させる、項目１に記載の機器。
（項目３１）
上記補強は、Ｘ線不透過性マーカを備える、項目３０に記載の機器。
（項目３２）
上記平坦フィルムは、１つ以上のスリットを有する、項目１に記載の機器。
（項目３３）
上記スリットは、上記フィルムが圧縮させられるときに、半径方向の拡張を容易にするように軸方向に配向される、項目３２に記載の機器。
（項目３４）
上記スリットは、上記引張部材が遠位に平行移動させられるにつれて、伸張することを容易にするように側方に配向される、項目３２に記載の機器。
（項目３５）
上記平坦フィルムは、上記軸方向収容部の両方の側に対称的に配置される、項目１に記載の機器。
（項目３６）
上記平坦フィルムは、上記軸方向収容部の両方の側に非対称的に配置される、項目１に記載の機器。
（項目３７）
上記平坦フィルムは、テーパ状のプロファイルを有する、項目１に記載の機器。